(57)【要約】      （修正有）【課題】校正が適切に行われておらず使用が認められない測定機を使用者に認識させることを可能とする測定機管理装置を提供する。【解決手段】測定機管理装置１００は、複数の測定機の各個体について、少なくとも、個体を特定する情報及び校正状況を示す情報を予め記憶する記憶部１１０と、測定機の外観を撮像する撮像部１２０と、撮像部による撮像範囲の視認が可能であり、かつ、情報の表示が可能な表示部１３０と、撮像部により撮像された測定機の外観を、複数の測定機のそれぞれの個体を特定する情報と順次照合して、個体を特定する個体特定手段１４０と、個体特定手段において特定された個体に対応する校正状況を示す情報を記憶部から抽出して当該個体の使用可否を判定し、使用不可であった場合に表示部に当該個体が使用不可であることを示す所定の情報を表示させる通知手段１５０と、を備える。【選択図】図１
2019211261.tif 000002
【特許請求の範囲】
【請求項１】
複数の測定機の各個体について、少なくとも、個体を特定する情報及び校正状況を示す情報を予め記憶する記憶部と、
測定機の外観を撮像する撮像部と、
前記撮像部による撮像範囲の視認が可能であり、かつ、情報の表示が可能な表示部と、
前記撮像部により撮像された前記測定機の外観を、前記複数の測定機のそれぞれの前記個体を特定する情報と順次照合して、個体を特定する個体特定手段と、
前記個体特定手段において特定された個体に対応する前記校正状況を示す情報を前記記憶部から抽出して当該個体の使用可否を判定し、使用不可であった場合に、前記表示部に当該個体が使用不可であることを示す所定の情報を表示させる通知手段と、
を備える測定機管理装置。
【請求項２】
前記個体を特定する情報は、個体の３次元モデルであることを特徴とする請求項１に記載の測定機管理装置。
【請求項３】
前記個体を特定する情報は、前記複数の測定機の各個体に表示された、個体を特定する記号であり、
前記個体特定手段は、前記撮像手段により撮像された前記測定機の外観から個体を特定する記号を抽出し、前記複数の測定機のそれぞれの個体を示す記号と順次照合して、個体を特定する
ことを特徴とする請求項１に記載の測定機管理装置。
【請求項４】
前記撮像部は、前記測定機の測定値表示部分を含む外観を撮像し、
前記通知手段は、前記測定値表示部分が視認できないように前記測定値表示部分を隠す画像を、前記表示部に表示させる
ことを特徴とする請求項１から３のいずれか１項に記載の測定機管理装置。
【請求項５】
コンピュータを請求項１から４のいずれか１項に記載の測定機管理装置の各手段として機能させるためのプログラム。
【発明の詳細な説明】
【技術分野】
【０００１】
本発明は、使用が認められない測定機を使用者に認識させる測定機管理装置及びプログラムに関する。
【背景技術】
【０００２】
ISO9001:2015規格の「7.1.5  監視、測定のための資源」では、要求事項に対する製品及びサービスの適合を検証するために監視又は測定を用いる場合に、結果が妥当で信頼できるものであることを確実にするために必要な資源を明確にし、用意した資源が、実施する監視及び測定活動に対し適切であり、その目的に対する引き続く適合を確実にするために維持されること、及び監視及び測定資源の目的への適合の証拠として適切な文書化した情報を保持しなければならないこと、を要求している。
【０００３】
そして、測定のトレーサビリティが要求事項となっている場合等においては、測定資源たる測定機が意図した目的に適していないことが判明した場合、それまでに測定した結果の妥当性を損なうものであるか否かを明確にし、必要に応じて、適切な処置をとらなければならないとされている。
【０００４】
測定機が要求事項に不適合となる理由にはさまざまなものがある。このうち、測定機の校正証明書の有効期限切れや、未校正測定機の不正使用といった不適合理由に関しては、このような問題の防止策として、例えば、有効期限を記したシールを測定機に貼付する方法や、不適合な測定機を他の保管場所に移動する方法などがとられている。
【発明の概要】
【発明が解決しようとする課題】
【０００５】
たとえシールを貼付しておいても確認漏れや確認間違いなど、人的な要因によるミスを無くすことは困難である。
【０００６】
本発明の目的は、校正が適切に行われておらず使用が認められない測定機を使用者が容易に認識可能とする測定機管理装置を提供することにある。
【課題を解決するための手段】
【０００７】
本発明の測定機管理装置は、複数の測定機の各個体について、少なくとも、個体を特定する情報及び校正状況を示す情報を予め記憶する記憶部と、測定機の外観を撮像する撮像部と、撮像部による撮像範囲の視認が可能であり、かつ、情報の表示が可能な表示部と、撮像部により撮像された測定機の外観を、複数の測定機のそれぞれの個体を特定する情報と順次照合して、個体を特定する個体特定手段と、個体特定手段において特定された個体に対応する校正状況を示す情報を記憶部から抽出して当該個体の使用可否を判定し、使用不可であった場合に表示部に当該個体が使用不可であることを示す所定の情報を表示させる通知手段と、を備える。
【０００８】
個体を特定する情報は、個体の３次元モデルとしてもよい。
【０００９】
また、個体を特定する情報を、複数の測定機の各個体に表示された、個体を特定する記号とし、個体特定手段は、前記撮像手段により撮像された前記測定機の外観から個体を特定する記号を抽出し、複数の測定機のそれぞれの個体を示す記号と順次照合して、個体を特定してもよい。
【００１０】
撮像部は、測定機の測定値表示部分を含む外観を撮像し、通知手段は、測定値表示部分が視認できないように測定値表示部分を隠す画像を表示部に表示させるようにしてもよい。
【００１１】
以上の各手段の機能は、プログラムに記述してコンピュータに実行させることにより実現してもよい。
【発明の効果】
【００１２】
本発明の測定機管理装置によれば、校正が適切に行われておらず使用が認められない測定機を使用者に容易に認識させることができ、よって使用を回避させることができる。
【図面の簡単な説明】
【００１３】
【図１】本発明の測定機管理装置１００の機能ブロック図である。
【図２】測定機が使用不可の場合に使用者に使用不可であることを認識可能とする形態の一例を示す図である。
【図３】各手段の機能が記述されたプログラムをＣＰＵで実行することにより各手段の機能を実現する本発明の測定機管理装置１００の構成例を示す図である。
【発明を実施するための形態】
【００１４】
以下、本発明の実施形態を、図面を参照しつつ説明する。なお、以下の説明では、同一の部位には同一の符号を付し、一度説明した部位については適宜その説明を省略する。
【００１５】
図１に本発明の測定機管理装置１００の機能ブロック図を示す。測定機管理装置１００は、記憶部１１０、撮像部１２０、表示部１３０、個体特定手段１４０及び通知手段１５０を備える。
【００１６】
記憶部１１０は、複数の測定機の各個体について、少なくとも、個体を特定する情報及び校正状況を示す情報を予め記憶する。
【００１７】
個体を特定する情報は任意である。例えば、個体の３次元モデルを採用することができる。また例えば、複数の測定機の各個体に表示された、シリアル番号、個体の名称、又は一次元若しくは二次元コードなどの、個体を特定する記号としてもよい。
【００１８】
校正状況を示す情報は、単純に校正の有無として記憶させておいてもよいし、校正されている場合に限り、校正した日や有効期限を記憶させておいてもよい。
【００１９】
撮像部１２０は、測定機の外観を静止画又は動画で撮像する任意の撮像手段である。
【００２０】
表示部１３０は、撮像部１２０による撮像範囲の視認が可能であり、かつ、情報の表示が可能な任意の表示手段である。
【００２１】
撮像範囲の視認は、撮像部１２０により撮像された画像を表示することにより可能としてもよいし、撮像範囲を視認可能な透過型ディスプレイを採用して可能としてもよい。
【００２２】
個体特定手段１４０は、撮像部１２０により撮像された測定機の外観を、記憶部１１０に記憶された複数の測定機それぞれの個体を特定する情報と順次照合して個体を特定する。
【００２３】
例えば、個体を特定する情報が、各個体の３次元モデルである場合には、撮像された測定機の画像から抽出された特徴点と３次元モデルの特徴点との照合により個体を特定することができる。また、個体を特定する情報が、各個体に表示された個体を特定する記号である場合には、撮像部１２０により撮像された測定機の外観から個体を特定する記号を、画像解析など任意の方法により抽出し、複数の測定機のそれぞれの個体を示す記号と順次照合して個体を特定する。
【００２４】
通知手段１５０は、個体特定手段１４０により特定された個体に対応する校正状況を示す情報を記憶部１１０から抽出して当該個体の使用可否を判定し、使用不可であった場合に表示部１３０に当該個体が使用不可であることを示す所定の情報を表示させる。
【００２５】
校正状況を示す情報が校正した日や有効期限である場合には、本装置による確認を実行した日から所定の期間を経過しているか、有効期限を徒過しているかによって使用の可否を判断することができる。
【００２６】
特定された個体が使用不可であることを示す情報の表示部１３０への表示のさせ方や表示位置は任意である。例えば、単純に「使用不可」などの警告文言や警告マークや警告色を表示させてもよい。
【００２７】
また、撮像部１２０により測定機を撮像する際に測定値表示部分を含む外観を撮像し、使用不可であった場合に、表示部１３０において測定値表示部分が視認できないように、測定値表示部分を隠す画像を測定値表示部分に重畳して表示させるようにしてもよい。例えば、図２(a)に示すような、測定値デジタル表示部分１０ａと測定値アナログ表示部分１０ｂを備えるノギスが表示部１３０に表示されている場合、図２(b)に示すように測定値デジタル表示部分１０ａと測定値アナログ表示部分１０ｂのそれぞれに重畳して画像１０ａｍ、画像１０ｂｍを表示させる。
【００２８】
更に、図示しないスピーカーなどの放音手段を設けて、使用不可を示す情報の表示とともにアラーム音を発生させるようにしてもよい。
【００２９】
以上説明した本発明の測定機管理装置１００によれば、校正が適切に行われておらず使用が認められない測定機を使用者に容易に認識させることができ、よって使用を回避させることができる。
【００３０】
なお、測定機管理装置１００の各手段の機能は、プログラムに記述してコンピュータに実行させることにより実現してもよい。
【００３１】
各手段の機能をプログラムに記述しコンピュータに実行させて実現する場合の測定機管理装置１００の構成例を図３に示す。
【００３２】
測定機管理装置１００は、ＣＰＵ１０１、記憶部１１０、撮像部１２０及び表示部１３０を備える。測定機管理装置１００は、例えば、メガネ型のコンピュータ装置として、透過型の表示部１３０が装着者の眼に対向し、表示部１３０からの視野と撮像部１２０の撮像範囲とが対応するように構成してもよい。
【００３３】
ＣＰＵ１０１は、記憶部１１０に記憶された各手段の機能が記述されたプログラムを実行し、測定機管理装置１００の機能を実現する。記憶部１１０は、複数の測定機の各個体を特定する情報や校正状況を示す情報、及びプログラムを記憶する任意の記憶手段であり、例えば、ＨＤＤやフラッシュメモリ等の記憶媒体のほか、不揮発性メモリ、揮発性メモリなどを採用することができる。なお、記憶部１１０は、測定機管理装置１００内に設ける代わりに、通信部１０２を介して接続されたクラウドストレージを採用して実現してもよい。撮像部１２０は、測定機の外観を静止画又は動画で撮像する任意の撮像手段である。表示部１３０は、ＣＰＵ１０１の制御に従い各種の情報を表示する任意の方式の表示手段である。通信部１０２は、無線ネットワーク又は有線ネットワークに接続するためのインタフェースであり、ＣＰＵ１０１の制御に従い、ネットワークに接続されたクラウドストレージなどとの間で情報の送受を行う。
【００３４】
本発明は、上記の各実施形態に限定されるものではない。各実施形態は例示であり、本発明の特許請求の範囲に記載された技術的思想と実質的に同一な構成を有し、同様な作用効果を奏するものは、いかなるものであっても本発明の技術的範囲に包含される。すなわち、本発明において表現されている技術的思想の範囲内で適宜変更が可能であり、その様な変更や改良を加えた形態も本発明の技術的範囲に含む。
【符号の説明】
【００３５】
１０ａ、１０ｂ…測定値表示部分
１０ａｍ、１０ｂｍ…画像
１００…測定機管理装置
１０１…ＣＰＵ
１０２…通信部
１１０…記憶部
１２０…撮像部
１３０…表示部
１４０…個体特定手段
１５０…通知手段
【図１】
2019211261.tif 000003
【図２】
2019211261.tif 000004
【図３】
2019211261.tif 000005